(57)【要約】【課題】ＲＦＩＤタグ読み取り装置に関し、載置台に重ねて置かれた複数の図書に装着された各ＲＦＩＤタグを読み取りやすくすることを目的とする。【解決手段】ＲＦＩＤタグ読み取り装置４は、ＲＦＩＤタグ３が貼付された図書２を載せるための表面が滑らかな傾斜面７ｂとこの傾斜面７ｂの下方に平面形状の止め部７ａを有する載置台７と、載置台７の内部に設けるとともに傾斜面７ｂの下方から図書２に向けて配置した平面形状のアンテナ９と、アンテナ９と電気的に接続され、アンテナ９を介して読み取るべきＲＦＩＤタグ３を読み取るリーダライタ８とを備えている。【選択図】図２
2010039691.tif 000002
【特許請求の範囲】
【請求項１】
ＲＦＩＤタグが貼付された図書などの物品を載せるための表面が滑らかな傾斜面とこの傾斜面の下方に平面形状の止め部を有する載置台と、
前記載置台の内部に設けるとともに傾斜面の下方から前記物品に向けて配置した平面形状のアンテナと、
前記アンテナと電気的に接続され、前記アンテナを介して読み取るべき前記ＲＦＩＤタグを読み取るリーダライタと、
を備えたことを特徴とするＲＦＩＤタグ読み取り装置。
【請求項２】
前記載置台の傾斜面が電波を吸収する電波吸収体で構成されていることを特徴とする請求項１に記載のＲＦＩＤタグ読み取り装置。
【請求項３】
前記電波吸収体をフェライトまたはカーボンで形成したことを特徴とする請求項２に記載のＲＦＩＤタグ読み取り装置。
【請求項４】
前記電波吸収体の表面を表面保護材で保護したことを特徴とする請求項２または請求項３に記載のＲＦＩＤタグ読み取り装置。
【請求項５】
前記載置台の傾斜面と前記アンテナの平面とのなす角度を９０度より小さくしたことを特徴とする請求項１から請求項４のいずれか１項に記載のＲＦＩＤタグ読み取り装置。
【請求項６】
前記載置台の傾斜面の前記止め部の近傍に図書などの前記物品を検知する物品検知部を備えたことを特徴とする請求項１から請求項４のいずれか１項に記載のＲＦＩＤタグ読み取り装置。
【請求項７】
請求項１から請求項６のいずれか１項に記載のＲＦＩＤタグ読み取り装置と、
そのＲＦＩＤタグ読み取り装置で読み取られたＲＦＩＤタグの識別情報に基づいて図書の貸出または返却の管理を行う管理装置とを備えたことを特徴とするＲＦＩＤ管理システム。
【請求項８】
前記管理装置は、貸出または返却に係る前記図書の管理番号、書名、貸出場所などの図書情報、前記ＲＦＩＤタグの識別情報および利用者情報を蓄積するデータベースを備えていることを特徴とする請求項７に記載のＲＦＩＤ管理システム。
【発明の詳細な説明】
【技術分野】
【０００１】
本発明は、図書などの物品に貼付したＲＦＩＤタグを読み取るＲＦＩＤタグ読み取り装置およびＲＦＩＤ管理システムに関する。
【背景技術】
【０００２】
近年、物流、物品などの管理を行うために、ＲＦＩＤ（Ｒａｄｉｏ  Ｆｒｅｑｕｅｎｃｙ  ＩＤｅｎｔｉｆｉｃａｔｉｏｎ）システムが利用されている。ＲＦＩＤシステムは、ＲＦＩＤタグとリーダライタとを備えている。
【０００３】
ＲＦＩＤタグは、物品の識別ＩＤ情報などを記憶保持している。一方、リーダライタは、このＲＦＩＤタグを読み取り識別ＩＤ情報などを取得していた。
【０００４】
このようなＲＦＩＤシステムの利用例として、図書に貼付したＲＦＩＤタグを管理する管理システムが提案されている。この管理システムでは、図書および図書館利用カードにＲＦＩＤタグを装着し、貸出または返却の際に双方のＲＦＩＤタグを読み取って管理していた。ＲＦＩＤタグは、図書の表紙や裏表紙などに直接に装着されていた。管理システムでは、平面な板状に形成されている載置台の内部にリーダライタを設け、リーダライタは載置台に置かれた図書および図書館利用カードに装着されている各ＲＦＩＤタグを読み取っていた。リーダライタが図書および図書館利用カードのＲＦＩＤタグを読み取った後、管理システムは、データベースなどで図書の内容を確認するなどして図書の識別ＩＤを確認し、貸出、返却の管理をしていた（例えば、特許文献１を参照）。
【特許文献１】特開２００３−８５３２９号公報
【発明の開示】
【発明が解決しようとする課題】
【０００５】
従来の管理システムでは、載置台から電波が漏れて他の管理システムと混信するのを避けるためにリーダライタの出力を抑え、できるだけリーダライタのアンテナを図書に近接させて読み取ることにより、読み抜けを防止していた。しかしながら、複数の図書が載置台に重ねて置かれた場合には、各図書に装着されたＲＦＩＤタグが読み取りにくくなるといった課題があった。
【０００６】
そこで、本発明は、載置台に重ねて置かれた複数の図書に装着された各ＲＦＩＤタグを読み取りやすくすることを目的とする。
【課題を解決するための手段】
【０００７】
この目的を達成するために本発明のＲＦＩＤタグ読み取り装置は、ＲＦＩＤタグが貼付された図書などの物品を載せるための表面が滑らかな傾斜面とこの傾斜面の下方に平面形状の止め部を有する載置台と、載置台の内部に設けるとともに傾斜面の下方から物品に向けて配置した平面形状のアンテナと、アンテナと電気的に接続され、アンテナを介して読み取るべきＲＦＩＤタグを読み取るリーダライタとを備えたことを特徴とする。このような構成により、初期の目的を達成するものである。
【発明の効果】
【０００８】
以上のように本発明のＲＦＩＤタグ読み取り装置は、ＲＦＩＤタグが貼付された図書などの物品を載せるための表面が滑らかな傾斜面とこの傾斜面の下方に平面形状の止め部を有する載置台と、載置台の内部に設けるとともに傾斜面の下方から物品に向けて配置した平面形状のアンテナと、アンテナと電気的に接続され、アンテナを介して読み取るべきＲＦＩＤタグを読み取るリーダライタとを備えたので、載置台の傾斜面により複数重なった図書のそれぞれの背表紙などを平面形状のアンテナに近づけやすくすることができる。これにより、載置台に重ねて置かれた複数の図書の背表紙などに貼付されている各ＲＦＩＤタグを読み取りやすくすることができる。
【発明を実施するための最良の形態】
【０００９】
以下、本発明の実施の形態について図面を用いて詳細に説明する。
【００１０】
（実施の形態）
まず、図１〜図４を参照しながら、本発明の実施の形態におけるＲＦＩＤ管理システム１について説明する。ここでは、ＲＦＩＤタグを利用した図書管理システムを例に説明する。
【００１１】
図１は本発明の実施の形態におけるＲＦＩＤ管理システム１の概要を説明するための概略構成図、図２は本発明の実施の形態におけるＲＦＩＤタグ読み取り装置４の斜視図、図３は同ＲＦＩＤタグ読み取り装置４の載置台７の構造を示す斜視図、図４は本発明の実施の形態におけるＲＦＩＤ管理システム１の構成を示すブロック図である。
【００１２】
図１に示すように、ＲＦＩＤ管理システム１は、ＲＦＩＤタグ読み取り装置４と、ＲＦＩＤタグ読み取り装置４にケーブル６を介して電気的に接続された管理装置５とを備えている。
【００１３】
管理装置５は、制御部５ａにより、ＲＦＩＤタグ読み取り装置４で読み取られたＲＦＩＤタグ３の識別情報に基づいて処理を行い、貸出または返却に係る物品としての図書２の管理番号、書名、貸出場所などの図書情報、ＲＦＩＤタグ３の識別情報をデータベース５ｄに蓄積し、利用者情報をデータベース５ｅに蓄積する。
【００１４】
また、管理装置５は、入力部５ｃにより、図書２の貸出または返却に係る指示を行い、図書２の図書情報を表示部５ｂに表示する。管理装置５の構成の詳細については後述する。
【００１５】
このような構成により、ＲＦＩＤ管理システム１は、ＲＦＩＤタグ読み取り装置４により図書２に貼付されているＲＦＩＤタグ３を読み取り、管理装置５によりＲＦＩＤタグ３の識別情報に基づいて図書２の貸出または返却の管理を行うことができる。
【００１６】
ＲＦＩＤタグ読み取り装置４は、図２に示すように、ＲＦＩＤタグ３が貼付された図書２を置いて読み取るための表面が滑らかな傾斜面７ｂとこの傾斜面７ｂの下方に平面形状の止め部７ａを有する載置台７と、載置台７の内部に設けるとともに傾斜面７ｂの下方から図書２に向けて配置した平面形状のアンテナ９と、アンテナ９と電気的に接続され、アンテナ９を介して読み取るべきＲＦＩＤタグ３を読み取るリーダライタ８とを備えている。
【００１７】
また、ＲＦＩＤタグ読み取り装置４は、図書２が貸出または返却されたときに押される実行ボタン１１と、液晶表示装置などから構成される表示部１０とを備えている。表示部１０は、図書２の貸出または返却に係る情報などを表示する。ＲＦＩＤタグ読み取り装置４の構造については後述する。
【００１８】
さらに、ＲＦＩＤタグ読み取り装置４は、載置台７における傾斜面７ｂの止め部７ａの近傍に図書２を検知する物品検知部１２を備えている。物品検知部１２として、光の反射により物体を検知するフォトリフレクタを用いることができる。
【００１９】
傾斜面７ｂに孔を設け、この孔を介して光が図書２に反射する位置にフォトリフレクタを設置する。フォトリフレクタでは、図書２が傾斜面７ｂに置かれ、孔が塞がれると反射光量の変化により出力が変化する。このフォトリフレクタの出力の変化を後述する制御部８ｂで検知することにより、図書２が傾斜面７ｂに置かれたことを検知し、自動で図書２のＲＦＩＤタグ３を読み取ることができる。これにより、図書２の貸出または返却の作業効率を高めることができる。
【００２０】
次に、図３を参照しながら、ＲＦＩＤタグ読み取り装置４の載置台７の構造について説明する。
【００２１】
図３に示すように、載置台７は傾斜面７ｂを有し、この傾斜面７ｂの下方に平面形状の止め部７ａを設けている。これにより、載置台７の傾斜面７ｂに置かれた図書２は、傾斜面７ｂに沿って止め部７ａ側へ移動する。図書２は、この移動した先に設けた止め部７ａで停止する。止め部７ａの内側にはＲＦＩＤタグ３を読み取るためのアンテナ９が設置されている。
【００２２】
このような構造により、図書２を傾斜面７ｂに沿って止め部７ａ側に近づけさせることができ、アンテナ９と図書２に貼付されているＲＦＩＤタグ３との距離を近づけさせることができる。これにより、ＲＦＩＤタグ読み取り装置４は図書２のＲＦＩＤタグ３を読み取りやすくすることができる。
【００２３】
さらに、載置台７の傾斜面７ｂは電波を吸収する電波吸収体１４で構成されている。電波吸収体１４は、例えば、フェライトまたはカーボンで形成されており、その表面は表面保護材１３で覆われている。表面保護材１３として、表面を滑らかにするとともに保護することができるシート部材、コーティング部材を使用する。例えば、樹脂製のコーティング部材、シリコンシートなどを使用することができる。
【００２４】
載置台７の傾斜面７ｂとアンテナ９とのなす角度は９０度より小さくしている。このようにすることで、アンテナ９の平面を傾斜面７ｂに向け、アンテナ９から出力された電波を電波吸収体１４で吸収しやすくする。これにより、電波を外部へ漏れにくくすることができる。
【００２５】
従って、ＲＦＩＤタグ読み取り装置４は、アンテナ９から出力する電波の強度を大きくしても他の管理装置５との混信を抑えることができ、かつ、アンテナ９から出力する電波を強くすることにより、載置台７の傾斜面７ｂに重ねて置かれた複数の図書２の背表紙などに貼付されている各ＲＦＩＤタグ３を読み取りやすくすることができる。
【００２６】
ＲＦＩＤタグ読み取り装置４は、止め部７ａの平面と反対側の背面７ｃにも、電波吸収体１４および表面保護材１３を設けている。これにより、アンテナ９から出力された電波を背面７ｃ側からも漏れにくくすることができる。
【００２７】
次に、図４を参照しながら、ＲＦＩＤ管理システム１の構成および動作について説明する。
【００２８】
ＲＦＩＤタグ読み取り装置４は、図４に示すように、載置台７の傾斜面７ｂに図書２が置かれた後で実行ボタン１１が押されると、リーダライタ８のアンテナ９を介してＲＦＩＤタグ３と交信を行う。
【００２９】
リーダライタ８は、ＲＦＩＤタグ３との交信信号を送受信する無線部８ａと、無線部８ａを制御する制御部８ｂと、識別情報などを一時記憶するメモリ部８ｃと、管理装置５と通信するための通信部８ｄとを備えている。
【００３０】
リーダライタ８は、アンテナ９で受信した受信信号を無線部８ａで処理し、図書２の識別情報を制御部８ｂが取得する。そして、リーダライタ８は、通信部８ｄを介して管理装置５に図書２の識別情報を伝達する。
【００３１】
管理装置５は、通信部８ｄにケーブル６を介して電気的に接続されている制御部５ａにより、ＲＦＩＤタグ３の識別情報を取得し、処理を行い、貸出または返却に係る図書２の管理番号、書名、貸出場所などの図書情報、ＲＦＩＤタグ３の識別情報をデータベース５ｄに蓄積し、利用者情報をデータベース５ｅに蓄積する。また、管理装置５は、入力部５ｃにより、図書２の貸出または返却に係る指示を行い、図書２の図書情報を表示部５ｂに表示する。
【００３２】
このように構成されたＲＦＩＤ管理システム１は、実行ボタン１１が押されたタイミングに合わせて、ＲＦＩＤタグ読み取り装置４のリーダライタ８からＲＦＩＤタグ３に、例えば「管理ＩＤを返答せよ？」という問い合わせを行う。
【００３３】
無線部８ａは、アンテナ９を介して問い合わせ信号をＲＦＩＤタグ３に送信し、ＲＦＩＤタグ３からの応答信号をアンテナ９を介して受信し、復調して識別情報（管理ＩＤ）を取得する。そして、無線部８ａは、この取得した識別情報を制御部８ｂに出力する。
【００３４】
制御部８ｂは、受け取った識別情報をメモリ部８ｃに一時記憶する。また、制御部８ｂは問い合わせにより、載置台７の上の読み取るべき図書２に貼付されているＲＦＩＤタグ３の識別情報をすべて取得すると、メモリ部８ｃに一時記憶した識別情報群を通信部８ｄを介して管理装置５に出力する。
【００３５】
例えば、管理装置５はＲＦＩＤタグ読み取り装置４で読み取られた図書２の識別情報群の内容を表示部５ｂに表示する。また、管理装置５は、貸出または返却に係る操作を入力部５ｃで行う。例えば、利用者の氏名、貸出期間の登録などを行う。貸出または返却に係る処理をした後、貸出または返却に係る図書２の管理番号、書名、貸出場所などの図書情報、ＲＦＩＤタグ３の識別情報をデータベース５ｄに蓄積し、利用者情報をデータベース５ｅに蓄積する。
【００３６】
また、管理装置５は、ＲＦＩＤタグ読み取り装置４で読み取られた図書２がデータベース５ｄの検索で見つからない場合は、新たに購入または入手された図書２である可能性が高いため、表示部５ｂを介して登録処理用のメッセージを出力し、登録処理を行うこともできる。
【００３７】
また、ＲＦＩＤタグ３には、貸出する図書２に対して貸出を示すフラグを書き込む。これにより、図書館の出入り口に盗難防止装置（リーダライタ）を設置し、図書２のＲＦＩＤタグ３を確認するようにすれば、貸出記録のない図書２の持ち出しを検知することができ、盗難などの不正な持ち出しをなくすことできる。なお、返却された図書２には、ＲＦＩＤタグ３の貸出を示すフラグをリセットする。
【００３８】
また、持ち出し不可の図書２には、「禁帯出図書」のラベルを貼るとともに、あらかじめＲＦＩＤタグ３には禁帯出を示す禁帯出フラグを書き込む。これにより、持ち出し不可の図書２の貸出処理ができなくなる。
【００３９】
以上のように本実施の形態によれば、ＲＦＩＤタグ読み取り装置４は、ＲＦＩＤタグ３が貼付された図書２を載せるための表面が滑らかな傾斜面７ｂとこの傾斜面７ｂの下方に平面形状の止め部７ａを有する載置台７と、載置台７の内部に設けるとともに傾斜面７ｂの下方から図書２に向けて配置した平面形状のアンテナ９と、アンテナ９と電気的に接続され、アンテナ９を介して読み取るべきＲＦＩＤタグ３を読み取るリーダライタ８とを備え、載置台７に重ねて置かれた複数の図書２を読み取りやすくすることができる。
【００４０】
また、載置台７の傾斜面７ｂは、電波を吸収するフェライトまたはカーボンで形成された電波吸収体１４で構成され、この電波吸収体１４の表面を保護する表面保護材１３で覆っている。そして、載置台７の傾斜面７ｂとアンテナ９とのなす角度を９０度より小さくしている。これにより、アンテナ９の平面を傾斜面７ｂに向けることができるので、アンテナ９から出力された電波の強度を大きくしても電波は電波吸収体１４で吸収されやすくなり、ＲＦＩＤタグ読み取り装置４の電波を外へ漏れにくくしている。このため、アンテナ９から出力する電波の強度を大きくしても他の管理装置５との混信を抑えることができ、かつ、載置台７の傾斜面７ｂに重ねて置かれた複数の図書２の背表紙に貼付されている各ＲＦＩＤタグ３を読み取りやすくすることができる。
【００４１】
また、ＲＦＩＤタグ読み取り装置４は、載置台７における傾斜面７ｂの止め部７ａの近傍に図書２を検知する物品検知部１２を備え、図書２が傾斜面７ｂに置かれたことを検知し、自動で図書２のＲＦＩＤタグ３を読み取ることができる。これにより、図書２の貸出または返却の作業効率を高めることができる。
【００４２】
なお、本実施の形態では、ＲＦＩＤ管理システム１のＲＦＩＤタグ読み取り装置４を図書２の貸出または返却に用いたが、これに限定されない。例えば、事務用品、食品などに貼付されたＲＦＩＤタグ３の読み取りにも応用することができる。
【産業上の利用可能性】
【００４３】
以上のように本発明は、ＲＦＩＤタグが貼付された図書などの物品を載せるための表面が滑らかな傾斜面とこの傾斜面の下方に平面形状の止め部を有する載置台と、載置台の内部に設けるとともに傾斜面の下方から物品に向けて配置した平面形状のアンテナと、アンテナと電気的に接続され、アンテナを介して読み取るべきＲＦＩＤタグを読み取るリーダライタとを備えたので、載置台の傾斜面により複数重なった図書のそれぞれの背表紙などを平面形状のアンテナに近づけやすくすることができる。これにより、載置台に重ねて置かれた複数の図書の背表紙などに貼付されている各ＲＦＩＤタグを読み取りやすくすることが可能なＲＦＩＤタグ読み取り装置およびこれを用いたＲＦＩＤ管理システムに有用である。
【図面の簡単な説明】
【００４４】
【図１】本発明の実施の形態におけるＲＦＩＤ管理システムの概要を説明するための概略構成図
【図２】本発明の実施の形態におけるＲＦＩＤタグ読み取り装置の斜視図
【図３】同ＲＦＩＤタグ読み取り装置の載置台の構造を示す斜視図
【図４】本発明の実施の形態におけるＲＦＩＤ管理システムの構成を示すブロック図
【符号の説明】
【００４５】
１    ＲＦＩＤ管理システム
２    図書（物品）
３    ＲＦＩＤタグ
４    ＲＦＩＤタグ読み取り装置
５    管理装置
５ａ，８ｂ    制御部
５ｂ，１０    表示部
５ｃ    入力部
５ｄ，５ｅ    データベース
６    ケーブル
７    載置台
７ａ    止め部
７ｂ    傾斜面
７ｃ    背面
８    リーダライタ
８ａ    無線部
８ｃ    メモリ部
８ｄ    通信部
９    アンテナ
１１    実行ボタン
１２    物品検知部
１３    表面保護材
１４    電波吸収体
【図１】
2010039691.tif 000003
【図２】
2010039691.tif 000004
【図３】
2010039691.tif 000005
【図４】
2010039691.tif 000006